(57)【要約】【課題】実燃料に即したサロゲート燃料の成分を選定する手法を確立する。【解決手段】実燃料の定性定量分析で得られたｎ−アルカン群に、成分比率最大のｎ−アルカンが属する大炭素数クラスと小炭素数クラスを設定し、ｎ−アルカン群の大炭素数クラスに対応する大炭素数クラスをセタン価が最も低いモノメチルアルカン群に設定し、ｎ−アルカン群の小炭素数クラスに対応する小炭素数クラスをセタン価が最も低いモノメチルアルカン群に設定し、この設定した各クラスからサロゲート燃料を構成するアルカン成分を選定する。【選択図】図４
2015093945.tif 000002
【特許請求の範囲】
【請求項１】
エンジン用燃料の燃焼特性を解析するためのサロゲート燃料を決定する方法であって、
上記エンジン用燃料のｎ−アルカン群及び少なくともモノメチルアルカン群を含むiso−アルカン群を定性定量分析するステップと、
上記ｎ−アルカン群に、成分比率最大のｎ−アルカンが属する大炭素数クラスと、該大炭素数クラスよりも炭素数が少ない小炭素数クラスを設定するステップと、
上記ｎ−アルカン群の大炭素数クラスの炭素数に対応する大炭素数クラスを上記分析で得られた着火性が最も低いモノメチルアルカン群に設定し、上記ｎ−アルカン群の小炭素数クラスの炭素数に対応する小炭素数クラスを上記分析で得られた着火性が最も低いモノメチルアルカン群に設定するステップと、
上記設定した各クラスからサロゲート燃料を構成するアルカン成分を選定するステップと、
上記エンジン用燃料の燃焼特性に係る属性をターゲットとして、上記選定したアルカン成分の混合比率を最適化するステップとを備えていることを特徴とするサロゲート燃料の決定方法。
【請求項２】
請求項１において、さらに、
上記ｎ−アルカン群に、上記大炭素数と小炭素数クラスの中間の炭素数を有する中間炭素数クラスを設定するステップと、
上記ｎ−アルカン群の中間炭素数クラスの炭素数に対応する中間炭素数クラスを複数のモノメチルアルカン群各々に設定するステップとを備え、
上記ｎ−アルカン群及び上記複数のモノメチルアルカン群に設定した各中間炭素数クラスから上記サロゲート燃料を構成するアルカン成分をさらに選定することを特徴とするサロゲート燃料の決定方法。
【請求項３】
請求項１又は請求項２において、
上記モノメチルアルカン群の大炭素数クラス及び小炭素数クラスを４−メチルアルカン群に設定することを特徴とするサロゲート燃料の決定方法。
【請求項４】
請求項１乃至請求項３のいずれか一において、
上記サロゲート燃料成分の混合比率を最適化するステップでは、上記ターゲットとなる上記エンジン用燃料の属性として、セタン価、セタン指数及びオクタン価から選ばれる一種の着火性指標、上記分析されたアルカンの総量に占めるｎ−アルカンの比率、並びに当該総量に占めるiso−アルカンの比率を採用することを特徴とするサロゲート燃料の決定方法。
【請求項５】
請求項４において、
上記ターゲットとなる上記エンジン用燃料の属性として、さらに、Ｈ／Ｃモル比、密度、発熱量及び蒸留特性を採用し、最適化において、上記着火性指標、上記ｎ−アルカン成分の比率及び上記iso−アルカン成分の比率の重みをＨ／Ｃモル比、密度、発熱量及び蒸留特性の重みよりも大とすることを特徴とするサロゲート燃料の決定方法。
【請求項６】
請求項１乃至請求項５のいずれか一において、
上記エンジン用燃料が合成燃料であることを特徴とするサロゲート燃料の決定方法。
【請求項７】
エンジン用燃料の燃焼特性予測方法であって、
請求項１乃至請求項６のいずれか一に記載された方法によって上記エンジン用燃料のサロゲート燃料を決定し、
上記サロゲート燃料の燃焼反応モデルを構築し、
上記燃焼反応モデル用いたシミュレーションによって上記エンジン用燃料の燃焼特性を予測することを特徴とするエンジン用燃料の燃焼特性予測方法。
【請求項８】
エンジン用燃料の燃焼特性予測装置であって、
上記エンジン用燃料の定性定量分析によって得られたｎ−アルカン群及び少なくともモノメチルアルカン群を含むiso−アルカン群の分析データ、上記エンジン用燃料の燃焼特性に係る属性、並びに燃料の反応条件を入力する手段と、
上記エンジン用燃料の燃焼特性を予測するためのサロゲート燃料を構成する成分をｎ−アルカン群及びモノメチルアルカン群から選定するためのクラス設定ルールを予め記憶する手段と、
上記ｎ−アルカン群及びモノメチルアルカン群の分析データに基づいて上記クラス設定ルールによってサロゲート燃料を構成する成分を選定するためのクラスを設定する手段と、
エンジン用燃料の属性をターゲットとして、上記クラスから選定したサロゲート燃料を構成する成分の混合比率を最適化する手段と、
上記サロゲート燃料成分の燃焼詳細反応機構データを生成する手段と、
上記サロゲート燃料成分の燃焼詳細反応機構データと燃料の反応条件をもとにシミュレーションによって上記エンジン用燃料の燃焼特性を予測するデータを得る手段とを備え、
上記クラス設定ルールは、上記入力されたｎ−アルカン群に、成分比率最大のｎ−アルカンが属する大炭素数クラスと、該大炭素数クラスよりも炭素数が少ない小炭素数クラスを設定するステップとを設定し、該ｎ−アルカン群の大炭素数クラスの炭素数に対応する大炭素数クラスを上記入力された着火性が最も低いモノメチルアルカン群に設定し、上記ｎ−アルカン群の小炭素数クラスの炭素数に対応する小炭素数クラスを上記入力された着火性が最も低いモノメチルアルカン群に設定するというものであるエンジン用燃料の燃焼特性予測装置。
【請求項９】
請求項８において、
上記エンジン用燃料が合成燃料であることを特徴とするエンジン用燃料の燃焼特性予測装置。
【請求項１０】
請求項８又は請求項９において、
上記クラス設定ルールは、さらに、上記ｎ−アルカン群に、上記大炭素数と小炭素数クラスの中間の炭素数を有する中間炭素数クラスを設定し、この中間炭素数クラスの炭素数に対応する中間炭素数クラスを複数のモノメチルアルカン群各々に設定するものであることを特徴とするエンジン用燃料の燃焼特性予測装置。
【請求項１１】
エンジン用燃料の燃焼特性予測プログラムであって、
エンジン用燃料の燃焼特性を予測するために、燃料成分の指定によって該燃料成分の詳細反応機構データを生成する第１ソフト、燃料属性をターゲットとして燃料成分の混合比率を最適化する第２ソフト、並びに上記燃料成分の詳細反応機構データ及び反応条件をもとにシミュレーションによって化学種の濃度及び温度の時間変化を推算する第３ソフトを記憶させたコンピュータを、
上記エンジン用燃料の定性定量分析によって得られたｎ−アルカン群及び少なくともモノメチルアルカン群を含むiso−アルカン群の分析データ、上記エンジン用燃料の燃焼特性に係る属性、並びに燃料の反応条件を入力する手段、
上記エンジン用燃料の燃焼特性を予測するためのサロゲート燃料を構成する成分をｎ−アルカン群及びモノメチルアルカン群から選定するためのクラス設定ルールを予め記憶する手段、
上記ｎ−アルカン群及びモノメチルアルカン群の分析データに基づいて上記クラス設定ルールによってサロゲート燃料を構成する成分を選定するためのクラスを設定する手段、
上記第２ソフトを動作させて、上記エンジン用燃料の属性をターゲットとして、上記クラスから選定したサロゲート燃料を構成する成分の混合比率を最適化する手段、
上記第１ソフトを動作させて、上記サロゲート燃料成分の燃焼詳細反応機構データを生成する手段、及び
上記第３ソフトを動作させて、上記サロゲート燃料成分の燃焼詳細反応機構データ及び燃料の反応条件をもとにシミュレーションによって上記エンジン用燃料の燃焼特性を予測するデータを得る手段として機能させるためのプログラムであり、
上記クラス設定ルールは、上記入力されたｎ−アルカン群に、成分比率最大のｎ−アルカンが属する大炭素数クラスと、該大炭素数クラスよりも炭素数が少ない小炭素数クラスを設定するステップとを設定し、該ｎ−アルカン群の大炭素数クラスの炭素数に対応する大炭素数クラスを上記入力された着火性が最も低いモノメチルアルカン群に設定し、上記ｎ−アルカン群の小炭素数クラスの炭素数に対応する小炭素数クラスを上記入力された着火性が最も低いモノメチルアルカン群に設定するというものであるエンジン用燃料の燃焼特性予測プログラム。
【請求項１２】
請求項１１において、
上記エンジン用燃料が合成燃料であることを特徴とするエンジン用燃料の燃焼特性予測プログラム。
【請求項１３】
請求項１１又は請求項１２において、
上記クラス設定ルールは、さらに、上記ｎ−アルカン群に、上記大炭素数と小炭素数クラスの中間の炭素数を有する中間炭素数クラスを設定し、この中間炭素数クラスの炭素数に対応する中間炭素数クラスを複数のモノメチルアルカン群各々に設定するものであることを特徴とするエンジン用燃料の燃焼特性予測プログラム。
【請求項１４】
エンジン用燃料の燃焼特性を解析するためのサロゲート燃料を決定する方法であって、
上記エンジン用燃料のｎ−アルカン群及び少なくともモノメチルアルカン群を含むiso−アルカン群を定性定量分析するステップと、
上記サロゲート燃料を構成する成分として、上記分析で得られたｎ−アルカン群から二種以上のｎ−アルカンを選定し、上記分析で得られたiso−アルカン群から二種以上のモノメチルアルカンを選定するステップと、
上記エンジン用燃料の属性をターゲットとして上記サロゲート燃料を構成する成分の混合比率を最適化するステップとを備え、
上記エンジン用燃料の属性として、セタン価、セタン指数及びオクタン価から選ばれる一種の着火性指標、上記分析されたアルカンの総量に占めるｎ−アルカンの比率、並びに当該総量に占めるiso−アルカンの比率を採用することを特徴とするサロゲート燃料の決定方法。
【請求項１５】
請求項１４において、
上記エンジン用燃料が合成燃料であることを特徴とするサロゲート燃料の決定方法。
【発明の詳細な説明】
【技術分野】
【０００１】
本発明は、エンジン用燃料のサロゲート燃料決定方法、サロゲート燃料を用いたエンジン用燃料の燃焼特性の予測方法、予測装置及び予測プログラムに関する。
【背景技術】
【０００２】
自動車のエンジン用燃料としては石油由来のガソリン及び軽油が一般に使用されているが、近年は、石炭やバイオマス、天然ガスから生成される合成燃料が注目されている。石炭を原料とする場合はＣＴＬ燃料と呼ばれ、バイオマスを原料とする場合はＢＴＬと呼ばれ、天然ガスを原料とする場合はＧＴＬ燃料と呼ばれている。合成燃料は、原料から合成ガス（水素と一酸化炭素の混合ガス）を作り、この合成ガスをＦＴ合成反応により液体燃料粗油とし、更に粗油を水素化精製や水素化分解（クラッキング）による所定の炭素鎖での切断、異性化を施すなど、アップグレーディングすることで最終製品化されたものであり、ｎ−アルカン及びiso−アルカンを主成分とし、硫黄分や芳香族化合物を殆ど含まない。
【０００３】
ところで、燃料の燃焼反応はエンジンにおいて重要な要素であり、その燃焼反応について詳細な知見が必要とされる。その場合、実燃料の燃焼試験によって燃焼特性を把握する方法では限界がある。そこで、燃焼試験によらず、シミュレーションによって燃焼特性を把握することが考えられる。しかし、ガソリンや軽油は非常に多くの炭化水素成分からなり、合成燃料であっても、非常に多くの成分よりなり、しかも分析できない成分も存在する。そのため、実燃料の物理的・化学的性質を全て組み込んだシミュレーションを行なうことはできない。
【０００４】
これに対して、非特許文献１には、ガソリンに関して、サロゲート燃料によって燃焼特性を予測することが記載されている。そのサロゲート燃料としては、ガソリンのアンチノック性を評価するオクタン価の指標として用いられる標準物質である、ノルマルヘプタンとイソオクタンを成分とする二成分混合燃料、並びにそれら燃料にトルエンを加えた三成分混合燃料が挙げられている。
【０００５】
ガソリンサロゲート燃料の成分混合比率はオクタン価のみが実燃料（ガソリン）と一致するように設定されるのが通常である。或いは、実燃料を分析して化学構造によって特徴付けられる組成群（ｎ−アルカン群、iso−アルカン群、cyclo-アルカン群、アルケン群、芳香族炭化水素群）に分類し、各組成群に属する代表的な化学種（標準物質の二成分を含む）でサロゲート燃料を構成し、それら代表化学種の混合比率の決定に、オクタン価と共に実燃料の組成群の成分比率を考慮することも行なわれている。
【０００６】
ディーゼル燃料に関しても、自己着火性を評価するセタン価の指標として用いられる標準物質である、ｎ−ヘキサデカン（n−セタン）及びヘプタメチルノナンを含めた、実燃料の各組成群に属する代表的な化学種でサロゲート燃料を構成し、それら代表化学種の混合比率の決定に、セタン価と共に実燃料の組成群の成分比率を考慮することも行なわれている。
【０００７】
また、上記非特許文献１には、サロゲート燃料成分の燃焼反応モデルの構築に詳細反応自動生成プログラムＫＵＣＲＳを利用すること、シミュレーションにＣＨＥＭＫＩＮを用いること、並びに、そのシミュレーションによってモデルの着火遅れ時間を計算し、実燃料の自己着火性を予測することも記載されている。
【先行技術文献】
【非特許文献】
【０００８】
【非特許文献１】公益社団法人 自動車技術界 学術講演会前刷集No.64-11 １１〜１６頁「ガソリンサロゲート燃料の多段着火反応機構」
【発明の概要】
【発明が解決しようとする課題】
【０００９】
実燃料には炭素数が異なる多くのｎ−アルカン及びiso−アルカンが含まれ、それらのセタン価やオクタン価は相異なる。また、iso−アルカンには側鎖の置換位置が異なる多くの異性体があり、それらのセタン価やオクタン価は相異なる。従って、サロゲート燃料を構成するにあたり、従来のようなｎ−アルカン群及びiso−アルカン群各々から代表的な化学種を一種ずつ選定するという手法では、実燃料に即応したサロゲート燃料が得られるとは必ずしも云えない。
【００１０】
また、サロゲート燃料は、その成分の選定に加えて、その成分の混合比率も重要になる。しかし、単にセタン価又はオクタン価が実燃料に一致するように混合比率を設定するだけでは、実燃料に即したサロゲート燃料が得られるとは必ずしも云えない。
【００１１】
また、実燃料の各組成群に属する代表的な化学種の混合比率の決定に、セタン価又はオクタン価と共に実燃料の組成群の成分比率を考慮するという手法も実際には難しい。すなわち、各組成群を代表する化学種の混合比率を実燃料の組成群の成分比率に合わせると、その混合比率によってサロゲート燃料のセタン価又はオクタン価が一義的に決まり、必ずしも実燃料のセタン価又はオクタン価には一致しない。
【００１２】
本発明の観点の一つは、実燃料に即したサロゲート燃料の成分を選定する手法を確立することにある。特に、パラフィン系の合成燃料に係るサロゲート燃料の決定に有用な手法を確立するものである。
【００１３】
本発明の別の観点は、サロゲート燃料成分の混合比率を実燃料に即して最適化する手法を確立することにある。特に、パラフィン系の合成燃料に係るサロゲート燃料の決定に有用な手法を確立するものである。
【００１４】
また、本発明のさらに別の観点は、上述の如き観点から決定したサロゲート燃料を用いて実燃料の燃焼特性を予測する手法を確立することにある。
【課題を解決するための手段】
【００１５】
本発明は、上記課題を解決するために、実燃料のアルカン成分の分析結果に基づき、各アルカン成分の比率、炭素数及び着火性を考慮して、実燃料の模擬に適したアルカン成分を選定し、それらアルカン成分によってサロゲート燃料を構成するようにした。
【００１６】
すなわち、本発明に係るサロゲート燃料の決定方法は、エンジン用燃料の燃焼特性を解析するためのサロゲート燃料を決定する方法であって、
上記エンジン用燃料のｎ−アルカン群及び少なくともモノメチルアルカン群を含むiso−アルカン群を定性定量分析するステップと、
上記ｎ−アルカン群に、成分比率最大のｎ−アルカンが属する大炭素数クラスと、該大炭素数クラスよりも炭素数が少ない小炭素数クラスを設定するステップと、
上記ｎ−アルカン群の大炭素数クラスの炭素数に対応する大炭素数クラスを上記分析で得られた着火性が最も低いモノメチルアルカン群に設定し、上記ｎ−アルカン群の小炭素数クラスの炭素数に対応する小炭素数クラスを上記分析で得られた着火性が最も低いモノメチルアルカン群に設定するステップと、
上記設定した各クラスからサロゲート燃料を構成するアルカン成分を選定するステップと、
上記エンジン用燃料の燃焼特性に係る属性をターゲットとして、上記選定したアルカン成分の混合比率を最適化するステップとを備えていることを特徴とする。
【００１７】
ここに、「着火性」とは、ガソリンのアンチノック性、並びにディーゼル燃料の自己着火性を含む概念である。従って、上記着火性の指標としては、アンチノック性に係るオクタン価、自己着火性に係るセタン価やセタン指数を用いることができる。この点は、後述の燃焼特性予測方法、燃焼特性予測装置及び燃焼特性予測プログラムも同じである。
【００１８】
さて、ｎ−アルカン及びモノメチルアルカンは、その炭素数が多くなるほど着火性が高くなる（オクタン価は低くなり、セタン価やセタン指数は高くなる。）。また、モノメチルアルカンは、メチル基の置換位置が主鎖の端から中央に行くに従って着火性が低下していき、例えば、炭素数が２０程度以下などのように、多くの場合、４Ｍ−アルカン（「Ｍ」は「メチル」を意味する。以下、同じ。）において着火性が最も低くなり、その後は逆転して、５Ｍ−アルカンでは４Ｍ−アルカンよりも着火性が高くなる。
【００１９】
そうして、上記方法においては、ｎ−アルカン群に大炭素数クラス及び小炭素数クラスを設定し、当該大炭素数クラスに対応する大炭素数クラスを着火性が最も低いモノメチルアルカン群に設定し、当該小炭素数クラスに対応する小炭素数クラスを着火性が最も低いモノメチルアルカン群に設定し、各クラスからサロゲート燃料用のアルカン成分を選定している。
【００２０】
このことは、要するに、サロゲート燃料成分として、全アルカン成分中から、着火性が高く炭素数が多いｎ−アルカン、着火性が高く炭素数が少ないｎ−アルカン、着火性が低く炭素数が多いモノメチルアルカン、並びに着火性が低く炭素数が少ないモノメチルアルカンを選定しているということである。
【００２１】
このように、炭素数と着火性を基準にして、各々実燃料に含まれる互いに物性が異なる少なくとも４種のアルカン成分をサロゲート燃料の成分として選定するから、得られるサロゲート燃料の属性は実燃料に対応したものになり易い。しかも、ｎ−アルカン群の大炭素数クラスは、成分比率が最大のｎ−アルカンが属するクラスであるから、実燃料との対応性がさらに良くなる。
【００２２】
よって、このサロゲート燃料によれば、実燃料の燃焼特性を把握するためのシミュレーションの信頼性が高くなる。
【００２３】
小炭素数クラスが設定されるモノメチルアルカン群と、大炭素数クラスが設定されるモノメチルアルカン群とは、同じ場合と異なる場合がある。つまり、大炭素数クラスを設定したモノメチルアルカン群に、ｎ−アルカン群の小炭素数クラスのｎ−アルカンに対応するモノメチルアルカン異性体が存在するときは、当該モノメチルアルカン群に小炭素数クラスを設定する。そのようなモノメチルアルカン異性体が当該モノメチルアルカン群に存在しないときは、そのようなモノメチルアルカン異性体が存在する別の着火性が最も低いモノメチルアルカン群に小炭素数クラスを設定する。
【００２４】
好ましいのは、さらに、
上記ｎ−アルカン群に、上記大炭素数と小炭素数クラスの中間の炭素数を有する中間炭素数クラスを設定するステップと、
上記ｎ−アルカン群の中間炭素数クラスの炭素数に対応する中間炭素数クラスを複数のモノメチルアルカン群各々に設定するステップとを備え、
上記ｎ−アルカン群及び上記複数のモノメチルアルカン群に設定した各中間炭素数クラスから上記サロゲート燃料を構成するアルカン成分をさらに選定することである。
【００２５】
このように、中間炭素数クラスを設定してサロゲート燃料成分を選定することにより、得られるサロゲート燃料と実燃料との対応性が良くなる。
【００２６】
好ましいのは、上記モノメチルアルカン群の大炭素数クラス及び小炭素数クラスを４−メチルアルカン群に設定することである。これにより、得られるサロゲート燃料と実燃料との対応性が良くなる。
【００２７】
好ましいのは、上記サロゲート燃料成分の混合比率を最適化するステップでは、上記ターゲットとなる上記エンジン用燃料の属性として、セタン価、セタン指数及びオクタン価から選ばれる一種の着火性指標、上記分析されたアルカンの総量に占めるｎ−アルカンの比率、並びに当該総量に占めるiso−アルカンの比率を採用することである。以下のその理由を説明する。
【００２８】
エンジンにおける炭化水素燃料の自己着火燃焼は低温酸化反応と呼ばれる連鎖分岐反応により表現される。この酸化反応は、混合気中の酸素による燃料分子からの水素引抜き反応とそれに伴うアルキルラジカルの生成により開始され、次いでアルキルラジカルへの酸素付加反応、分子内異性化反応と呼ばれる分子内部での水素引抜き反応、二次酸素付加反応を経て進行する。このサイクルは低温酸化反応サイクルと呼ばれているが、上述の如く、低温酸化の開始反応や分子内異性化反応は、燃料分子のＣ−Ｈ結合からの水素引抜き反応が支配している。すなわち、Ｃ−Ｈ結合からの水素引抜き速度の大小は燃料の自己着火のし易さを決める重要な要因となる。
【００２９】
この水素引抜き速度は、Ｃ−Ｈ結合の結合解離エネルギーの大きさと強く相関する。結合解離エネルギーが小さいほど、水素引抜き速度が大きく、水素を引抜き易い。更に、この結合解離エネルギーは、各Ｃ-Ｈ結合中の水素が結合している炭素の級数に依存する。一般に炭素は、結合している炭素数によって、一級（primary）・二級（secondary）・三級（tertiary）に分類されるが、それらの炭素と結合する一級水素・二級水素・三級水素の順に結合解離エネルギーが小さくなる。従って、水素引抜き速度は、三級水素＞二級水素＞一級水素の順に小さくなる。すなわち、燃料分子の化学構造と自己着火のし易さには強い関係があり、n−アルカンに対して相対的に一級水素を多数有するiso−アルカンでは、水素引抜き速度の点から自己着火のし易さに差異があるということである。
【００３０】
そこで、サロゲート燃料成分の混合比率の最適化するステップでは、セタン価等の着火性指標だけでなく、実燃料の分析によって得られるｎ−アルカン及びiso−アルカン各々の比率をターゲットとして採用している。これにより、得られるサロゲート燃料と実燃料との対応性が良くなる。
【００３１】
そうして、着火性が異なる複数のｎ−アルカンと着火性が異なる複数のiso−アルカンを組み合わせてサロゲート燃料を構成するようにしているから、実燃料の上記着火性指標、ｎ−アルカン成分比率及びiso−アルカン成分比率をターゲットとして、サロゲート燃料の上記着火性指標、ｎ−アルカン成分比率及びiso−アルカン成分比率を合わせ込むことが可能になる。
【００３２】
好ましいのは、上記ターゲットとなる上記エンジン用燃料の属性として、さらに、Ｈ／Ｃモル比、密度、発熱量及び蒸留特性を採用し、最適化において、上記着火性指標、上記ｎ−アルカン成分の比率及び上記iso−アルカン成分の比率の重みをＨ／Ｃモル比、密度、発熱量及び蒸留特性の重みよりも大とすることである。これにより、得られるサロゲート燃料と実燃料との対応性がさらに良くなる。
【００３３】
好ましいのは、合成燃料に上記サロゲート燃料の決定方法を適用することである。すなわち、合成燃料は、炭化水素原料を一旦ガス化した後、ＦＴ合成及びクラッキングによって得られる。その主成分はアルカン（ｎ−アルカン及びモノメチルアルカン）である。このように合成燃料はアルカンを主成分とするから上記サロゲート燃料の決定方法を利用に相応しいということができる。
【００３４】
次に本発明に係るエンジン用燃料の燃焼特性予測方法は、上記方法によって当該エンジン用燃料のサロゲート燃料を決定し、このサロゲート燃料の燃焼反応モデルを構築し、この燃焼反応モデル用いたシミュレーションによって上記エンジン用燃料の燃焼特性を予測することを特徴とする。
【００３５】
ここに予測する「燃焼特性」には、燃料の着火時期（着火遅れ時間）をはじめとして、燃焼生成物や燃焼温度の経時変化特性、さらには、未燃ＨＣ、ＮＯｘ、Ｓｏｏｔ（煤）等の排出性等を含む。この点は、以下に述べる燃焼特性予測装置及び燃焼特性予測プログラムも同じである。
【００３６】
また、本発明に係るエンジン用燃料の燃焼特性予測装置は、
上記エンジン用燃料の定性定量分析によって得られたｎ−アルカン群及び少なくともモノメチルアルカン群を含むiso−アルカン群の分析データ、上記エンジン用燃料の燃焼特性に係る属性、並びに燃料の反応条件を入力する手段と、
上記エンジン用燃料の燃焼特性を予測するためのサロゲート燃料を構成する成分をｎ−アルカン群及びモノメチルアルカン群から選定するためのクラス設定ルールを予め記憶する手段と、
上記ｎ−アルカン群及びモノメチルアルカン群の分析データに基いて上記クラス設定ルールによってサロゲート燃料を構成する成分を選定するためのクラスを設定する手段と、
エンジン用燃料の属性をターゲットとして、上記クラスから選定したサロゲート燃料を構成する成分の混合比率を最適化する手段と、
上記サロゲート燃料成分の燃焼詳細反応機構データを生成する手段と、
上記サロゲート燃料成分の燃焼詳細反応機構データと燃料の反応条件をもとにシミュレーションによって上記エンジン用燃料の燃焼特性を予測するデータを得る手段とを備え、
上記クラス設定ルールは、上記入力されたｎ−アルカン群に、成分比率最大のｎ−アルカンが属する大炭素数クラスと、該大炭素数クラスよりも炭素数が少ない小炭素数クラスを設定するステップとを設定し、該ｎ−アルカン群の大炭素数クラスの炭素数に対応する大炭素数クラスを上記入力された着火性が最も低いモノメチルアルカン群に設定し、上記ｎ−アルカン群の小炭素数クラスの炭素数に対応する小炭素数クラスを上記入力された着火性が最も低いモノメチルアルカン群に設定するというものである。
【００３７】
この予測装置においても、上記エンジン用燃料は合成燃料であることが好ましい。
【００３８】
また、上記クラス設定ルールは、さらに、上記ｎ−アルカン群に、上記大炭素数と小炭素数クラスの中間の炭素数を有する中間炭素数クラスを設定し、この中間炭素数クラスの炭素数に対応する中間炭素数クラスを複数のモノメチルアルカン群各々に設定するものであることが好ましい。
【００３９】
本発明に係るエンジン用燃料の燃焼特性予測プログラムは、
エンジン用燃料の燃焼特性を予測するために、燃料成分の指定によって該燃料成分の詳細反応機構データを生成する第１ソフト、燃料属性をターゲットとして燃料成分の混合比率を最適化する第２ソフト、並びに上記燃料成分の詳細反応機構データ及び反応条件をもとにシミュレーションによって化学種の濃度及び温度の時間変化を推算する第３ソフトを記憶させたコンピュータを、
上記エンジン用燃料の定性定量分析によって得られたｎ−アルカン群及び少なくともモノメチルアルカン群を含むiso−アルカン群の分析データ、上記エンジン用燃料の燃焼特性に係る属性、並びに燃料の反応条件を入力する手段と、
上記エンジン用燃料の燃焼特性を予測するためのサロゲート燃料を構成する成分をｎ−アルカン群及びモノメチルアルカン群から選定するためのクラス設定ルールを予め記憶する手段、
上記ｎ−アルカン群及びモノメチルアルカン群の分析データに基づいて上記クラス設定ルールによってサロゲート燃料を構成する成分を選定するためのクラスを設定する手段、
上記第２ソフトを動作させて、上記エンジン用燃料の属性をターゲットとして、上記クラスから選定したサロゲート燃料を構成する成分の混合比率を最適化する手段、
上記第１ソフトを動作させて、上記サロゲート燃料成分の燃焼詳細反応機構データを生成する手段、及び
上記第３ソフトを動作させて、上記サロゲート燃料成分の燃焼詳細反応機構データ及び燃料の反応条件をもとにシミュレーションによって上記エンジン用燃料の燃焼特性を予測するデータを得る手段として機能させるためのプログラムであり、
上記クラス設定ルールは、上記入力されたｎ−アルカン群に、成分比率最大のｎ−アルカンが属する大炭素数クラスと、該大炭素数クラスよりも炭素数が少ない小炭素数クラスを設定するステップとを設定し、該ｎ−アルカン群の大炭素数クラスの炭素数に対応する大炭素数クラスを上記入力された着火性が最も低いモノメチルアルカン群に設定し、上記ｎ−アルカン群の小炭素数クラスの炭素数に対応する小炭素数クラスを上記入力された着火性が最も低いモノメチルアルカン群に設定するというものである。
【００４０】
この予測プログラムにおいても、上記エンジン用燃料は合成燃料であることが好ましい。
【００４１】
また、上記クラス設定ルールは、さらに、上記ｎ−アルカン群に、上記大炭素数と小炭素数クラスの中間の炭素数を有する中間炭素数クラスを設定し、この中間炭素数クラスの炭素数に対応する中間炭素数クラスを複数のモノメチルアルカン群各々に設定するものであることが好ましい。
【００４２】
上記エンジン用燃料の燃焼特性を予測する方法、装置及びプログラム各々によれば、上述の実燃料との対応性が良いサロゲート燃料を用いることにより、実燃料の燃焼特性に関して信頼性が高い予測が可能になる。
【００４３】
また、本発明に係るエンジン用燃料の燃焼特性を解析するためのサロゲート燃料を決定する方法は、
上記エンジン用燃料のｎ−アルカン群及び少なくともモノメチルアルカン群を含むiso−アルカン群を定性定量分析するステップと、
上記サロゲート燃料を構成する成分として、上記分析で得られたｎ−アルカン群から二種以上のｎ−アルカンを選定し、上記分析で得られたiso−アルカン群から二種以上のモノメチルアルカンを選定するステップと、
上記エンジン用燃料の属性をターゲットとして上記サロゲート燃料を構成する成分の混合比率を最適化するステップとを備え、
上記エンジン用燃料の属性として、セタン価、セタン指数及びオクタン価から選ばれる一種の着火性指標、上記分析されたアルカンの総量に占めるｎ−アルカンの比率、並びに当該総量に占めるiso−アルカンの比率を採用することを特徴とする。
【００４４】
このサロゲート燃料の決定方法においても、上記エンジン用燃料は合成燃料であることが好ましい。
【００４５】
この方法によれば、サロゲート燃料成分の混合比率の最適化するステップにおいて、セタン価等の着火性指標だけでなく、実燃料の分析によって得られるｎ−アルカン及びiso−アルカン各々の比率をターゲットとして採用しているから、得られるサロゲート燃料と実燃料との対応性が良くなる。
【発明の効果】
【００４６】
以上のように、本発明に係るサロゲート燃料の決定方法によれば、実燃料の分析で得られたｎ−アルカン群に成分比率最大のｎ−アルカンが属する大炭素数クラス及び小炭素数クラスを設定し、当該大炭素数クラスの炭素数に対応する大炭素数クラスを着火性が最も低いモノメチルアルカン群に設定し、当該小炭素数クラスの炭素数に対応する小炭素数クラスを着火性が最も低いモノメチルアルカン群に設定し、これら各クラスからサロゲート燃料成分を選定するから、実燃料との対応性が良いサロゲート燃料が得られる。
【００４７】
また、本発明に係るサロゲート燃料の決定方法によれば、サロゲート燃料成分の混合比率の最適化するステップにおいて、セタン価等の着火性指標だけでなく、実燃料の分析によって得られるｎ−アルカン及びiso−アルカン各々の比率をターゲットとして採用しているから、実燃料との対応性が良いサロゲート燃料が得られる。
【００４８】
また、本発明に係るエンジン用燃料の燃焼特性を予測する方法、装置又はプログラムによれば、上述の実燃料との対応性が良いサロゲート燃料を用いることにより、実燃料の燃焼特性に関して信頼性が高い予測が可能になる。
【図面の簡単な説明】
【００４９】
【図１】エンジン用燃料の燃焼特性予測装置の構成図である。
【図２】エンジン用燃料の燃焼特性予測方法の構成図である。
【図３】サロゲート燃料の決定及び燃焼特性予測に係る処理の流れ図である。
【図４】実燃料の定性定量分析されたアルカン成分を各異性体別に炭素数とセタン価の二次元マップに配列した図である。
【図５】サロゲート燃料Sur#0の属性値と実燃料の属性値との一致度を示すレーダーチャート図である。
【図６】サロゲート燃料Sur#1の属性値と実燃料の属性値との一致度を示すレーダーチャート図である。
【図７】サロゲート燃料Sur#2の属性値と実燃料の属性値との一致度を示すレーダーチャート図である。
【図８】サロゲート燃料Sur#3の属性値と実燃料の属性値との一致度を示すレーダーチャート図である。
【図９】サロゲート燃料Sur#4の属性値と実燃料の属性値との一致度を示すレーダーチャート図である。
【図１０】サロゲート燃料Sur#5の属性値と実燃料の属性値との一致度を示すレーダーチャート図である。
【図１１】サロゲート燃料Sur#6の属性値と実燃料の属性値との一致度を示すレーダーチャート図である。
【図１２】サロゲート燃料Sur#1によるＧＴＬ燃料の燃焼特性解析結果（着火時期と温度の関係）を示すグラフ図である。
【発明を実施するための形態】
【００５０】
以下、本発明を実施するための形態を図面に基づいて説明する。以下の好ましい実施形態の説明は、本質的に例示に過ぎず、本発明、その適用物或いはその用途を制限することを意図するものではない。
【００５１】
＜全体構成＞
図１は本実施形態に係る自動車エンジン用燃料の燃焼特性予測装置を構成するコンピュータのシステム構成図である。本実施形態に係るエンジン用燃料は天然ガスから生成されるディーゼルエンジン用のＧＴＬ軽油（パラフィン系合成燃料）である。
【００５２】
本実施形態は、実燃料（エンジン用燃料）のサロゲート燃料を決定し、該サロゲート燃料を用いたシミュレーションにより実燃料の燃焼特性を予測する。図１に示すように、本実施形態の燃焼特性予測装置１０は、入力手段２０、ＣＰＵ３０、記憶装置４０及び出力装置５０を備えている。
【００５３】
入力手段２０は、各種データを入力するキーボードやマウスに相当する処理を実行するものであり、実燃料の定性定量分析によって得たｎ−アルカン及び少なくともモノメチルアルカンを含むiso−アルカンの分析データ、実燃料の燃焼特性に係る属性、並びに燃焼特性予測シミュレーションのための反応条件の入力に用いられる。
【００５４】
ＣＰＵ３０は、記憶装置４０に記憶したプログラムに従って、実燃料の燃焼特性を予測するための処理を実行するものであり、サロゲート燃料を構成する成分を選定するためのクラスを設定する手段３１、サロゲート燃料を構成する成分の混合比率を最適化する手段３２、サロゲート燃料成分の燃焼詳細反応機構データを生成する手段３３、サロゲート燃料成分の燃焼詳細反応機構データ及び設定された反応条件をもとに、シミュレーションによって実燃料の燃焼特性を予測するデータを得る手段３４として機能する。
【００５５】
記憶装置４０は、ブートプログラム等を記憶しているＲＯＭ、各種データ及び処理結果を一時的に記憶するデータ格納手段としてのＲＡＭ、並びに燃焼特性予測のための各種プログラム（ソフト）を記憶するＨＤＤ等の記憶手段を備えている。その燃焼特性予測のためのプログラムとしては、燃焼詳細反応機構自動生成ソフト（第１ソフト）、実燃料の属性をターゲットとしてサロゲート燃料成分の混合比率を最適化するソフト（第２ソフト）、及び詳細化学反応解析ソフト（第３ソフト）がある。第１ソフト乃至第３ソフトについては、それぞれ一般公開されているものを利用することができ、さらには、それらを改良して用いることもできる。記憶装置４０には、さらに、上記第１乃至第３のソフトを記憶させたコンピュータのＣＰＵを、上記サロゲート燃料成分選定のためのクラス設定手段３１、サロゲート燃料成分の混合比率最適化手段３２、サロゲート燃料成分の燃焼詳細反応機構データ生成手段３３、実燃料の燃焼特性予測データ取得手段３４として機能させるプログラム（第４ソフト）が記憶されている。
【００５６】
出力装置５０は、各種データを出力するディスプレイやプリンタに相当する処理を実行する。
【００５７】
図２にサロゲート燃料を決定し、実燃料の燃焼特性を予測するプロセスの全体構成を示す。
【００５８】
サロゲート燃料を決定するために、実燃料を分析して、そのセタン価、密度、蒸留特性、発熱量、Ｈ／Ｃ比及びアルカン成分を調べる。セタン価は１Ｈ-ＮＭＲ分析によって推定する（Ｓ１，Ｓ２）。燃料品質（密度、蒸留特性、発熱量、Ｈ／Ｃ比）は各種の分析装置によって分析する（Ｓ３，Ｓ４）。アルカン成分はＧＣ-ＭＳ分析（ガスクロマトグラフィー質量分析）によって定性定量する（Ｓ５，Ｓ６）。
【００５９】
アルカン成分の分析結果に基づいて所定の手順でサロゲート燃料を構成する成分の組み合わせ候補を決定する（Ｓ７）。各候補について、実燃料の属性（セタン価、ｎ−アルカン成分比率、iso−アルカン成分比率等）をターゲットとして、燃料成分の混合比率の最適化を行ない、サロゲート燃料を決定する（Ｓ８）。そして、決定したサロゲート燃料成分の反応機構データを作成する（Ｓ９）。得られたサロゲート燃料の反応機構データを用いてシミュレーション（数値解析）により実燃料の燃焼特性を予測する（Ｓ１０）。
【００６０】
＜セタン価の推定（Ｓ１，Ｓ２）＞
先に説明したように、燃料分子のＣ−Ｈ結合からの水素引抜き速度が燃料の自己着火のし易さを決める重要な要因となり、この水素引抜き速度は、Ｃ−Ｈ結合の種類によって異なる。そして、Ｃ−Ｈ結合の特徴はケミカルシフトで規定することができる。そこで、実燃料の１Ｈ-ＮＭＲ分析結果から重回帰分析によってそのセタン価を推定した。すなわち、１Ｈ-ＮＭＲスペクトルのケミカルシフト値を閾値とする燃料の分子構造の情報（燃料分子を構成するＣ−Ｈ結合の種類とその結合種に属する水素原子の数）を、燃料の分子構造を表すパラメータとして、実燃料のセタン価を推定した。実施形態に係る実燃料のセタン価は略７５であった。
【００６１】
＜品質試験（Ｓ３，Ｓ４）＞
実施形態に係る実燃料の品質を調べた結果を表１に示す。Ｔ１０は１０％留出温度、Ｔ５０は５０％留出温度、Ｔ９０は９０％留出温度である。
【００６２】
【表１】
2015093945.tif 000003
【００６３】
＜ＧＣ-ＭＳ分析（Ｓ５，Ｓ６）＞
実燃料のＧＣ-ＭＳ分析により、炭素数６〜２５のｎ−アルカン、並びに炭素数１２〜２０の２Ｍ−アルカン、３Ｍ−アルカン、４Ｍ−アルカン、５Ｍ−アルカン、６Ｍ−アルカン、７Ｍ−アルカン及び８Ｍ−アルカンを定性定量することができた。定性定量することができたアルカン成分は燃料全量の略４０vol％であった。この定性定量することができたアルカン成分の総量に占めるｎ−アルカンの質量比率は略１５％であった。残りの略８５％がiso−アルカンで、そのうち、モノメチルアルカンの質量比率は略２０％であった。
【００６４】
＜サロゲート燃料の決定，燃焼特性予測（Ｓ７〜Ｓ１０）＞
上述の実燃料の定性定量分析によって得たｎ−アルカン及び少なくともモノメチルアルカンを含むiso−アルカンの分析データ、実燃料の燃焼特性に係る属性、並びに燃焼特性予測シミュレーションのための反応条件は、入力手段２０によって入力され、ＲＡＭに保存される。
【００６５】
図３に上記第４ソフトによるサロゲート燃料の決定及び燃焼特性予測に係る処理の流れを示す。ステップＡ２及びＡ３がクラス設定手段３１に相当し、ステップＡ６５がサロゲート燃料成分の混合比率最適化手段３２に相当し、ステップＡ５６がサロゲート燃料成分の燃焼詳細反応機構データ生成手段３３に相当し、ステップＡ７が実燃料の燃焼特性予測データ取得手段３４に相当する。
【００６６】
スタート後のステップＡ１で上記ｎ−アルカン群及びモノメチルアルカン群を含むiso−アルカン群の定性定量分析データが読み込まれ、そのｎ−アルカン群及びモノメチルアルカン群に所定のクラス設定ルールに基づいてサロゲート燃料を構成する成分を選定するためのクラスが設定される（ステップＡ２，Ａ３）。以下、具体的に説明する。
【００６７】
図４は定性定量することができたアルカン成分を各異性体別に炭素数とセタン価の二次元マップに配列したものである。ｎ−アルカン群のうちの成分比率が最大のアルカンはｎ−ノナデカンであり、成分比率は約２質量％である。サロゲート燃料を構成する成分の候補は以下のステップで決定する。
【００６８】
ステップＡ２；上記アルカン成分のｎ−アルカン群に、成分比率最大のｎ−ノナデカンが属する炭素数１８〜２１の大炭素数クラス(1)と、ｎ−ドデカンが属する炭素数１０〜１３の小炭素数クラス(3)とを設定する。好ましくは、さらに、大炭素数クラス(1)と小炭素数クラス(3)の中間の炭素数１４〜１７の中間炭素数クラス(2)を設定する。なお、この中間炭素数クラス(2)にはｎ−ヘキサデカンが属する。
【００６９】
ステップＡ３；ｎ−アルカン群の大炭素数クラス(1)に対応する炭素数１８〜２１の大炭素数クラス(4)をセタン価が最も低い（着火性が最も低い）4Ｍ−アルカン群に設定する。ｎ−アルカン群の小炭素数クラス(3)に対応する炭素数１０〜１３の小炭素数クラス(8)をセタン価が最も低い（着火性が最も低い）４Ｍ−アルカン群に設定する。好ましくは、さらに、ｎ−アルカン群の中間炭素数クラス(2)に対応する炭素数１４〜１７の中間炭素数クラス(5)〜(7)を２Ｍ−アルカン群、３Ｍ−アルカン群及び４Ｍ−アルカン群の各々に設定する。
【００７０】
なお、大炭素数クラス(4)には４Ｍ−ノナデカン、小炭素数クラス(8)には４Ｍ−ウンデカン、中間炭素数クラス(5)には２Ｍ−ペンタデカン、中間炭素数クラス(6)には３Ｍ−ペンタデカン、中間炭素数クラス(7)には４Ｍ−ペンタデカンが属する。
【００７１】
ステップＡ４において、サロゲート燃料を構成する必須成分として、大炭素数クラス(1)，(4)及び小炭素数クラス(3)，(8)の各々から１つずつ計４成分を選定する。好ましくは、上記必須の４成分に加えて、さらに、中間炭素数クラス(2)、(5)〜(7)のうちの少なくとも１つのクラスから１つを、サロゲート燃料を構成する成分として選定する。中間炭素数クラス(2)、(5)〜(7)の各々から１つずつ選定した場合、サロゲート燃料は計８成分で構成されることになる。また、上記必須の４成分に加えて、上記中間炭素数クラス(2)、(5)〜(7)に属しないモノメチルアルカンをサロゲート燃料の成分として選定することもできる。
【００７２】
以上により、サロゲート燃料を構成する成分の組み合わせに関して、複数の候補を決める。
【００７３】
表２はサロゲート燃料候補Sur#0〜Sur#6を示す。Sur#0〜Sur#2は上記ステップＡ２〜Ａ４によって設定した実施例に係るサロゲート燃料候補である。Sur#3〜Sur#6は任意設定した比較例に係るサロゲート燃料候補である。なお、表２のサロゲート燃料候補Sur#0〜Sur#6各々を構成する成分欄には便宜上実燃料の属性をターゲットとして最適化した混合比率（質量％）を記載している。
【００７４】
【表２】
2015093945.tif 000004
【００７５】
Sur#0は、大炭素数クラス(1)，(4)及び小炭素数クラス(3)，(8)各々から１つずつ選定した４成分と中間炭素数クラス(5)，(6)各々から選定した２成分の計６成分でサロゲート燃料を構成するケースである。
【００７６】
Sur#1は、大炭素数クラス(1)，(4)及び小炭素数クラス(3)，(8)各々から１つずつ選定した４成分と中間炭素数クラス(2)、(5)〜(7)各々から選定した４成分の計８成分でサロゲート燃料を構成するケースである。
【００７７】
Sur#2は、大炭素数クラス(1)，(4)及び小炭素数クラス(3)，(8)各々から１つずつ選定した４成分と、中間炭素数クラス(2)、(5)〜(7)に属しない２Ｍ−ウンデカン、２Ｍ−ノナデカン、３Ｍ−ウンデカン及び３Ｍ−ノナデカンの４成分の、計８成分でサロゲート燃料を構成するケースである。
【００７８】
＜サロゲート燃料の決定（Ｓ８）＞
ステップＡ５において、各サロゲート燃料候補について、実燃料の属性をターゲットとして、燃料成分の混合比率の最適化を行なわれる。この最適化には、実燃料の属性をターゲットとしてサロゲート燃料成分の混合比率を最適化するソフトが用いられる。
【００７９】
ターゲットとすべき属性としては、ステップＳ１，Ｓ２の１Ｈ-ＮＭＲ分析で得られた実燃料のセタン価、ステップＳ３，Ｓ４の品質試験で得られた実燃料の密度、蒸留特性（Ｔ１０、Ｔ５０及びＴ９０）、低位発熱量及びＨ／Ｃモル比、並びにステップＳ５，Ｓ６のＧＣ-ＭＳ分析で得られたアルカンの総量に占めるｎ−アルカンの比率、並びに当該総量に占めるiso−アルカンの比率が読み込まれて用いられる。
【００８０】
これらターゲットには重み付けされ、セタン価、ｎ−アルカン比率及びiso−アルカン比率の重みが最大とされ、その次にＴ５０の重みが大とされる。各属性の重み係数の一例を示すと、ｎ−アルカン成分の比率、iso−アルカン成分比率、及びセタン価では１．１、蒸留特性（Ｔ５０）では１．０５、Ｈ／Ｃモル比、密度、発熱量、及び蒸留特性（Ｔ１０、Ｔ９０）では１．０程度である。
【００８１】
各サロゲート燃料候補について燃料成分の混合比率を変えながら各属性値が計算される。そして、実燃料の属性値との一致性が最も高くなるように燃料成分の混合比率（質量％）を最適化することで、サロゲート燃料を決定する。
【００８２】
サロゲート燃料候補Sur#0〜Sur#6の最適化された成分の混合比率は表２に示すとおりである。サロゲート燃料候補Sur#0〜Sur#6の属性値と実燃料の属性値の一致度合を図５〜図１１に示す。同図において、指標軸は実燃料の各属性値を１とした場合のサロゲート燃料の相対的な属性値を示す。
【００８３】
Sur#0（図５）、Sur#1（図６）及びSur#2（図７）は、Sur#3〜Sur#6（図８〜図１１）に比べて、実燃料の属性との一致度が高く、実燃料の燃焼特性について、当該サロゲート燃料を用いたシミュレーションにより信頼性が高い予測ができることが見込まれる。Sur#0〜Sur#2のうちでは、大炭素数クラス(1)，(4)及び小炭素数クラス(3)，(8)に加えて、中間炭素数クラス(2)、(5)〜(7)からもサロゲート燃料成分を選定したSur#0（図５）及びSur#1（図６）では特に上記属性の一致度が高くなっている。
【００８４】
＜数値解析用データの作成（Ｓ９）＞
ステップＡ６において、燃料成分の混合比率が最適化されたサロゲート燃料の成分混合比率と属性値を入力することにより、サロゲート燃料の反応機構データが作成される。このデータ作成には、燃焼詳細反応機構自動生成ソフトが用いられる。
【００８５】
＜サロゲート燃料による実燃料の燃焼特性予測（Ｓ１０）＞
ステップＡ７において、先に決定されたサロゲート燃料により、シミュレーションによって実燃料の燃焼特性の予測データが取得される。シミュレーションには詳細化学反応解析ソフトが用いられる。すなわち、先に設定したサロゲート燃料成分の詳細反応機構と反応条件をもとに、解が求められる。
【００８６】
ＧＴＬ軽油のサロゲート燃料Sur#1について、反応条件を、密閉系完全混合反応器（Closed Homogeneous Reactor）モデルでの自己着火燃焼、燃料及び空気の均一予混合燃料（当量比＝０．５）、反応器内の初期圧力＝４０気圧、並びに初期温度＝７００Ｋ〜１３００Ｋ（１００Ｋ毎）とし、Ｈ２Ｏ２の生成量がピークになった時点を着火と定義し、温度と着火時期（着火遅れ時間）の関係を示すデータを取得した。結果を比較燃料のデータと共に図１２に示す。比較燃料は、ディーゼル軽油のサロゲート燃料（ｎ−ヘキサデカン、デカリン、ＨＭＮ及びＡＭＮの混合燃料，セタン価＝約５０）である。
【００８７】
図１２によれば、初期温度９００Ｋ以上の中〜高温度域では、ＧＴＬ軽油とディーゼル軽油の着火時期に差は殆どない。初期温度９００Ｋよりも低温度域では、ＧＴＬ軽油はディーゼル軽油よりも着火時期が早くなっている。この理由は、ＧＴＬ軽油が実質的には強い低温酸化反応を示すパラフィンのみの燃料であるため、低温での燃焼促進効果が高いのに対して、ディーゼル軽油は低温酸化反応が弱い又は低温酸化反応を示さないオレフィンや芳香族炭化水素等を含有していることによると考えられる。
【００８８】
＜その他＞
上記実施形態はディーゼルエンジン用のＧＴＬ燃料を対象としているが、本発明は、ガソリンエンジン用及びディーゼルエンジン用いずれの燃料にも適用することができ、また、合成燃料に限らず、従前の軽油やガソリンにも適用することができる。
【００８９】
また、上記実施形態ではセタン価を着火性の指標としたが、セタン指数であってもよい。また、ガソリンエンジン用燃料にあってはオクタン価を着火性の指標とすればよい。なお、セタン価に代えてオクタン価を図４の横軸にすると、ｎ−アルカン群及び各モノメチルアルカン群は、セタン価の場合とは逆の態様で配列されることになるが、クラス設定ルールはセタン価の場合と同じである。
【符号の説明】
【００９０】
１０    燃焼特性予測装置
２０    入力手段
３０    ＣＰＵ
３１    クラス設定手段
３２    混合比率最適化手段
３３    燃焼詳細反応機構データ生成手段
３４    燃焼特性予測データ取得手段
４０    記憶装置
５０    出力装置
【図１】
2015093945.tif 000005
【図２】
2015093945.tif 000006
【図３】
2015093945.tif 000007
【図５】
2015093945.tif 000008
【図６】
2015093945.tif 000009
【図７】
2015093945.tif 000010
【図８】
2015093945.tif 000011
【図９】
2015093945.tif 000012
【図１０】
2015093945.tif 000013
【図１１】
2015093945.tif 000014
【図１２】
2015093945.tif 000015
【図４】
2015093945.tif 000016